(57)【要約】【課題】汚れが筐体外部の光学部材、筐体内部の光学部材の何れに付着しているかを判定できる画像読取装置を提供する。【解決手段】筐体４１内のシェーディングプレート５９を読み取り、ＣＣＤ３２で得られる画像信号のレベルに基づき、汚れの付着の有無を検出する。また、筐体４１外のコンタクトガラス４７を介してバックプレート５８を読み取り、ＣＣＤ３２で得られる画像信号のレベルに基づき、汚れの付着の有無を検出する。シェーディングプレート５９を読み取った際に汚れを検出した場合に、筐体４１内部の光学部材（光源３１、ミラー５５，５６，５７、結像レンズ５４、ＣＣＤ３２）に汚れが付着していると判定し、所定の外部の連絡先へ通知する。バックプレート５８を読み取った際に汚れを検出した場合に、筐体４１外部の光学部材（コンタクトガラス４７）に汚れが付着していると判定し、清掃を促すメッセージを表示してユーザに報知する。【選択図】図２
2007166525.tif 000002
【特許請求の範囲】
【請求項１】
光電変換素子を含む筐体内部の光学部材と筐体外部の光学部材とを有する光学系を用いて原稿の画像を読み取る画像読取装置において、前記筐体外部の光学部材を含まない状態での前記光電変換素子からの信号に基づいて汚れを検出する第１検出手段と、前記筐体外部の光学部材を含む状態での前記光電変換素子からの信号に基づいて汚れを検出する第２検出手段と、前記第１検出手段及び第２検出手段の検出結果に応じて筐体内部の汚れと筐体外部の汚れとを判定する判定手段とを備えることを特徴とする画像読取装置。
【請求項２】
前記判定手段が筐体内部の汚れと判定した場合に、その旨を外部の連絡先へ通知する通知手段を備えることを特徴とする請求項１に記載の画像読取装置。
【請求項３】
前記判定手段が筐体外部の汚れと判定した場合に、その旨を報知する報知手段を備えることを特徴とする請求項１または２に記載の画像読取装置。
【発明の詳細な説明】
【技術分野】
【０００１】
本発明は、原稿の画像を読み取る画像読取装置に関し、特に、筐体内部または筐体外部の光学部材の汚れを検出する画像読取装置に関するものである。
【背景技術】
【０００２】
複写機、ファクシミリ機、複合機などの画像読取装置にあっては、光源からの光を原稿に照射してその反射光を光電変換素子に結像させ、その結像させた光に基づいて原稿の画像を読み取る。画像読取装置の読み取り光学系を構成する光学部材（コンタクトガラス、レンズ、ミラー、光電変換素子など）に、埃、トナー、修正液などの汚れが付着した場合には、読み取った画像中に黒点、黒線が現れて、画質が劣化する。
【０００３】
そこで、このような光学部材に汚れが付着したことを自動的に検出して、その検出結果をユーザへ通知して清掃を促すようにした画像読取装置が提案されている（特許文献１など）。
【特許文献１】特開２００２−３２００７７号公報
【発明の開示】
【発明が解決しようとする課題】
【０００４】
コンタクトガラスのような筐体外部の光学部材に汚れが付着している場合には、ユーザの清掃によりその汚れを除去することは可能である。しかし、レンズ、ミラー、光電変換素子などのような筐体内部の光学部材に汚れが付着している場合には  筐体を分解しなければ汚れを除去できず、一般ユーザでの対応は無理であり、ユーザはサービスセンタに連絡してサービスマンの派遣を要請する必要がある。
【０００５】
読み取った画像中に黒点、黒線が現れた場合、筐体外部の光学部材に汚れがあるのか、筐体内部の光学部材に汚れがあるのかをユーザは判別できず、コンタクトガラスなどの筐体外部の光学部材を清掃しても黒点、黒線が残存することを確認して、筐体内部の光学部材の汚れが原因であることを初めてユーザは知ることになる。よって、ユーザの操作性が悪いという問題がある。
【０００６】
本発明は斯かる事情に鑑みてなされたものであり、汚れが筐体外部、筐体内部の何れに付着しているかを判定できて、ユーザの操作性の向上を図れる画像読取装置を提供することを目的とする。
【課題を解決するための手段】
【０００７】
本発明に係る画像読取装置は、光電変換素子を含む筐体内部の光学部材と筐体外部の光学部材とを有する光学系を用いて原稿の画像を読み取る画像読取装置において、前記筐体外部の光学部材を含まない状態での前記光電変換素子からの信号に基づいて汚れを検出する第１検出手段と、前記筐体外部の光学部材を含む状態での前記光電変換素子からの信号に基づいて汚れを検出する第２検出手段と、前記第１検出手段及び第２検出手段の検出結果に応じて筐体内部の汚れと筐体外部の汚れとを判定する判定手段とを備えることを特徴とする。
【０００８】
本発明の画像読取装置にあっては、筐体外部の光学部材を含まずに筐体内部の光学部材のみを用いて光電変換素子からの信号に基づき第１検出手段で汚れを検出し、また、筐体外部の光学部材及び筐体内部の光学部材を用いて光電変換素子からの信号に基づき第２検出手段で汚れを検出し、これらの検出結果から、筐体外部の光学部材に汚れがあるか、筐体内部の光学部材に汚れがあるかを判定手段で判定する。即ち、第１検出手段で汚れを検出した場合には、筐体内部の光学部材に汚れが付着していると判定し、第１検出手段で汚れを検出せずに第２検出手段で汚れを検出した場合には、筐体外部の光学部材に汚れが付着していると判定する。よって、ユーザは、汚れの付着位置を簡便に確認できるので、その付着位置に応じた対応を容易かつ素早く行えるため、ユーザの操作性は向上する。
【０００９】
本発明に係る画像読取装置は、前記判定手段が筐体内部の汚れと判定した場合に、その旨を外部の連絡先へ通知する通知手段を備えることを特徴とする。
【００１０】
本発明の画像読取装置にあっては、筐体内部の光学部材に汚れが付着していると判定した場合に、ユーザでの対処は無理であるので、通知手段によりその旨を外部の連絡先（サービスセンタ、ネットワーク管理者など）へ通知して、サービスマンによる筐体内部の清掃を依頼する。
【００１１】
本発明に係る画像読取装置は、前記判定手段が筐体外部の汚れと判定した場合に、その旨を報知する報知手段を備えることを特徴とする。
【００１２】
本発明の画像読取装置にあっては、筐体外部の光学部材に汚れが付着していると判定した場合に、ユーザでの対処が可能であるので、報知手段によりその旨をユーザへ報知する。
【発明の効果】
【００１３】
本発明では、読み取った画像中に光学系の汚れに起因する黒点、黒線が現れた場合に、ユーザでの対処（汚れ除去）が可能である筐体外部の光学部材への汚れ付着か、ユーザでの対処が無理である筐体内部の光学部材への汚れ付着かを判定できるようにしたので、ユーザが汚れへの対応処理を迅速に行えて、ユーザの操作性を向上することができる。
【００１４】
本発明では、筐体内部に汚れが付着していると判定した場合に、その旨を外部の連絡先へ通知して清掃を手配するようにしたので、的確な対応処理を迅速に行うことができる。      
【００１５】
本発明では、筐体外部に汚れが付着していると判定した場合に、その旨をユーザへ報知して清掃を促すようにしたので、的確な対応処理を迅速に行うことができる。
【発明を実施するための最良の形態】
【００１６】
以下、本発明の画像読取装置を、複合機に適用した実施の形態に基づいて具体的に説明する。図１は、本発明の複合機の構成を示すブロック図である。複合機１は、制御部１１、画像読取部１２、ＲＯＭ１３、ＲＡＭ１４、画像メモリ１５、コーデック１６、記録部１７、操作部１８、表示部１９、モデム２０、ＮＣＵ（Network Control Unit）２１、ＬＡＮ（Local Area Network）インタフェース２２などを備えている。
【００１７】
制御部１１は、具体的にはＭＰＵ（Micro Processor Unit）で構成されており、バスを介して複合機１の上述したようなハードウェア各部と接続されていて、それらを制御すると共に、ＲＯＭ１３に格納された制御プログラムに従って、種々のソフトウェア的機能を実行する。
【００１８】
画像読取部１２は、光源３１、光電変換素子としてのＣＣＤ（Charge Coupled Device)３２、ＡＦＥ（Analog Front End：アナログフロントエンド）３３、Ａ／Ｄ変換器３４、インタフェース３５、読取画像処理回路３６、読取機構制御回路３７、モータ３８などを有している。なお、画像読取部１２のより詳細な構成及び動作は後述する。
【００１９】
ＲＯＭ１３は、複合機１の動作に必要な種々のソフトウェアの制御プログラムを格納する。ＲＡＭ１４は、ソフトウェアの実行時に発生する一時的なデータを記憶する。また、ＲＡＭ１４は、検出した汚れの位置を格納する汚れ履歴テーブル１４ａを有している。画像メモリ１５は、ＤＲＡＭなどで構成され、原稿の画像を読み取って得られる画像データ、ファクシミリ機から受信した画像データ、ＬＡＮインタフェース２２を介して外部の装置から受信した画像データなどを記憶する。コーデック１６は、画像データを所定の圧縮方式に従って圧縮したり、圧縮された画像データを所定の圧縮方式に従って伸長する。
【００２０】
記録部１７は、電子写真方式のプリンタ装置であって、画像読取部１２にて読み取った原稿の画像データ、受信した画像データなどに応じた画像を用紙にプリントアウトする。操作部１８は、複合機１を操作するために必要な文字キー、テンキー、短縮ダイヤルキー、ワンタッチダイヤルキー、各種のファンクションキーなどを備えている。
【００２１】
表示部１９は、液晶表示装置またはＣＲＴディスプレイなどの表示装置であり、読み取り光学系への汚れの付着状態を含む複合機１の動作状態を表示したり、ユーザへ操作入力を促す画面またはユーザへ警告を発する画面を表示したりする。この表示部１９は、複合機１の筐体外部の光学部材に汚れを検出した場合に、その汚れ付着の旨と清掃を促す旨とを示すメッセージを表示してユーザに報知する報知手段として機能する。なお、表示部１９をタッチパネル方式とすることにより、操作部１８の各種のキーの内の一部または全部を代用することも可能である。
【００２２】
モデム２０は、バスに接続されており、ファクシミリ通信が可能なファクシミリモデムから構成されている。また、モデム２０は、同様にバスに接続されたＮＣＵ２１と直接的に接続されている。ＮＣＵ２１は、公衆電話回線網（ＰＳＴＮ：Public Switched Telephone Network)との公衆回線Ｌ１の閉結及び開放の動作を行うハードウェアであり、必要に応じてモデム２０をＰＳＴＮと接続する。
【００２３】
ＬＡＮインタフェース２２は、ＬＡＮを介して他の装置との間で情報の送受信を行う。また、ＬＡＮインタフェース２２は、複合機１の筐体内部の光学部材に汚れを検出した場合に、その汚れ付着の旨と清掃の要請を依頼する旨とを示すメッセージを、所定の外部の連絡先（サービスセンタ、ネットワーク管理者など）へ通知する通知手段として機能する。
【００２４】
図２は、画像読取部１２の構成例を示す断面図である。画像読取部１２は、直方体型の筐体４１と、筐体４１上面の一辺に開閉自在に取り付けられたプラテンカバー４２と、筐体４１上面に設けられたプラテンガラス４３とを備えている。そして、ＦＢＳ（Flat Bed Scanner）方式の読み取りが可能であり、プラテンカバー４２を開けて原稿の読み取り面をプラテンガラス４３に対向させて原稿を載置し、プラテンカバー４２を閉じて原稿の画像を読み取る。
【００２５】
プラテンカバー４２の上面にはＡＤＦ（Automatic Document Feeder)方式の原稿取込部４４が設けられており、プラテンカバー４２が閉じられた状態で所定の載置台上に置かれた原稿束から原稿が１枚ずつ分離されて取り込まれる。取り込まれた原稿は、プラテンカバー４２に設けられた取込口４５から搬送され、排出口４６からプラテンカバー４２上面の排出トレイに排出される。この搬送中の所定の読み取り位置で原稿の画像が読み取られる。この読み取り位置に対向して筐体４１の上面にはコンタクトガラス４７が設けられている。
【００２６】
筐体４１の内部には、原稿の画像を読み取るための光学系が設けられている。光学系は、光源ユニット５１、ミラーユニット５２及び読取ユニット５３を有しており、光源ユニット５１及びミラーユニット５２を利用することにより、原稿の画像を読取ユニット５３に読み取らせる。読取ユニット５３は、結像レンズ５４及びＣＣＤ３２を有しており、光源ユニット５１及びミラーユニット５２を通過した原稿からの反射光を、結像レンズ５４を介して読取用ラインセンサとしてのＣＣＤ３２に結像させる。
【００２７】
光源ユニット５１は、プラテンガラス４３またはコンタクトガラス４７へ光を照射する露光ランプからなる光源３１と、原稿からの反射光を反射するミラー５５とを有している。ミラーユニット５２は、ミラー５５で光路を９０°変更された光の光路を更に１８０°変更するために反射面が互いに直交するように配置された一対のミラー５６、ミラー５７を有している。光源ユニット５１及びミラーユニット５２は、プラテンガラス４３の面と平行に、モータ３８によって移動する。
【００２８】
ＡＦＥ３３は、ＣＣＤ３２（光電変換素子）で得られたアナログの画像信号に、オフセット処理、増幅処理などの各種の処理を施し、Ａ／Ｄ変換器３４は、アナログの画像信号をデジタルの画像信号に変換する。読取画像処理回路３６は、Ａ／Ｄ変換器３４から出力されるデジタル画像信号に対して、シェーディング補正、ガンマ補正、エッジ強調、２値化などの各処理を施す。読取機構制御回路３７は、光源３１の点灯／消灯制御、読み取り光学系の走査を駆動するモータ３８の回転制御を行う。
【００２９】
プラテンカバー４２のコンタクトガラス４７に対向する位置には、白い板からなるバックプレート５８が設けられている。また、筐体４１の上面内壁には白い板からなるシェーディングプレート（白色基準板）５９が設けられている。
【００３０】
このような構成の画像読取部１２において、プラテンガラス４３及びコンタクトガラス４７は筐体外部の光学部材に該当し、光源３１、ミラー５５，５６，５７、結像レンズ５４及びＣＣＤ３２（光電変換素子）は筐体内部の光学部材に該当する。
【００３１】
本発明の複合機１では、電源投入時、及び／または、所定期間毎（例えば１日毎、１週間毎）に、筐体４１内のシェーディングプレート５９を読み取り、ＣＣＤ３２で得られる画像信号のレベルに基づき、制御部１１にて汚れの付着の有無を検出する。また、読取ジョブ毎（読取開始キーが押下される都度）に、コンタクトガラス４７を介してバックプレート５８を読み取り、ＣＣＤ３２で得られる画像信号のレベルに基づき、制御部１１にて汚れの付着の有無を検出する。
【００３２】
そして、シェーディングプレート５９を読み取った際に汚れを検出した場合に、制御部１１は、筐体内部の光学部材（光源３１、ミラー５５，５６，５７、結像レンズ５４、ＣＣＤ３２）に汚れが付着していると判定し、その汚れ付着の旨と清掃の要請を依頼する旨とを示すメッセージを、所定の外部の連絡先（サービスセンタ、ネットワーク管理者など）へ通知する。一方、シェーディングプレート５９を読み取った際には汚れを検出しないが、バックプレート５８を読み取った際に汚れを検出した場合に、制御部１１は、筐体外部の光学部材（コンタクトガラス４７）に汚れが付着していると判定し、その汚れ付着の旨と清掃を促す旨とを示すメッセージを表示部１９に表示してユーザに報知する。このようにして、制御部１１は、筐体外部の光学部材を含まない状態で汚れを検出する第１検出手段、筐体外部の光学部材を含む状態で汚れを検出する第２検出手段、筐体内部の汚れか筐体外部の汚れかを判定する判定手段として機能する。
【００３３】
図３は、筐体内部の光学部材の汚れを検出する処理の動作手順を示すフローチャートである。
【００３４】
まず、制御部１１は、光源３１を点灯した後（ステップＳ１）、モータ３８の駆動により、光源ユニット５１をシェーディングプレート５９下方に移動させる（ステップＳ２）。そして、制御部１１は、ＣＣＤ３２で得られる主走査方向の１ライン分の画像信号をＡ／Ｄ変換した全画素の階調レベル値を取り込む（ステップＳ３）。
【００３５】
制御部１１は、注目画素（ｉ）とこの注目画素（ｉ）に隣り合う２つの画素とにおける階調レベルの平均値Ａ（ｉ）を算出する処理を、全ての画素に対して行い（ステップＳ４）、注目画素（ｉ）を中心とした１００画素の階調レベルの平均値Ｂ（ｉ）を算出する処理を、全ての画素に対して行う（ステップＳ５）。また制御部１１は、平均値Ａ（ｉ）と平均値Ｂ（ｉ）との差Ｃ（ｉ）（＝Ａ（ｉ）−Ｂ（ｉ））を算出する（ステップＳ６）。      
【００３６】
制御部１１は、この差Ｃ（ｉ）を所定の閾値Ｔｈと比較して、Ｃ（ｉ）＜Ｔｈを満たす画素（ｉ）が存在するか否かを判断する（ステップＳ７）。Ｃ（ｉ）＜Ｔｈを満たす画素（ｉ）が存在しない場合に（Ｓ７：ＮＯ）、制御部１１は、汚れが付着していないと判定し、シェーディングデータ（白データの最大値Ｓｗ）を検出してＲＡＭ１４に格納し（ステップＳ１１）、動作を終了させる。
【００３７】
一方、Ｃ（ｉ）＜Ｔｈを満たす画素（ｉ）が存在する場合に（Ｓ７：ＹＥＳ）、制御部１１は、自動通知機能が設定されているか否かを判断する（ステップＳ８）。自動通知機能が設定されている場合に（Ｓ８：ＹＥＳ）、制御部１１は、サービスセンタへ汚れ付着を自動的に通知して（ステップＳ９）、動作を終了させる。自動通知機能が設定されていない場合に（Ｓ８：ＮＯ）、制御部１１は、サービスマンコールを表示部１９に表示して（ステップＳ１０）、動作を終了させる。
【００３８】
図４及び図５は、筐体外部の光学部材の汚れを検出する処理の動作手順を示すフローチャートである。
【００３９】
まず、制御部１１は、光源３１を点灯した後（ステップＳ２１）、モータ３８の駆動により、光源ユニット５１をＡＤＦ読取り位置（バックプレート５８の設置位置）に移動させる（ステップＳ２２）。そして、制御部１１は、バックプレート５８の読み取りによるＣＣＤ３２で得られる主走査方向の１ライン分の画像信号をＡ／Ｄ変換した全画素の階調レベル値ＢＰ（ｉ）を取り込むとともに、その最大値ＢＰｗを検出してＲＡＭ１４に格納する（ステップＳ２３）。
【００４０】
次いで、制御部１１は、検出した最大値ＢＰｗとＲＡＭ１４に格納されているる白データ（シェーディングデータ）の最大値Ｓｗとを比較して同程度の値となるような係数（Ｓｗ／ＢＰｗ）を、階調レベル値ＢＰ（ｉ）に乗算して補正階調レベル値ＢＰｗ（ｉ）を求める（ステップＳ２４）。制御部１１は、自身の汚れフラグを０に設定し、汚れの有無の検出処理を行う（ステップＳ２５）。具体的には、シェーディングデータの黒データをＳｂとした場合に、（ＢＰｗ（ｉ）−Ｓｂ（ｉ））／（Ｓｗ（ｉ）−Ｓｂ（ｉ））の比の値が所定の範囲内にあるか否かを判断し、所定の範囲内にある場合には汚れがないと判定し、所定の範囲内にない場合には汚れがあると判定する。汚れがない場合には、この比の値が概ね１となるため、この比の値に基づいて汚れを検出できる。
【００４１】
汚れを検出した場合（Ｓ２５：ＹＥＳ）、制御部１１は、検出した汚れの中心位置を算出し（ステップＳ２６）、算出した中心位置から所定範囲内（例えば３画素以内）に中心位置がある汚れデータが既に汚れ履歴テーブル１４ａに登録されているか否かを判断する（ステップＳ２７）。まだ登録されていない場合（Ｓ２７：ＮＯ）、制御部１１は、汚れ履歴テーブル１４ａに登録されている汚れデータの登録数が所定数Ｎ（例えばＮ＝５）であるか否かを判断し（ステップＳ２８）、登録数が所定数Ｎでない場合（Ｓ２８：ＮＯ）、つまり登録数がＮ未満であるとき、Ｓ２６で算出した中心位置に係る汚れデータを汚れ履歴テーブル１４ａに登録する（ステップＳ２９）。登録数が所定数Ｎである場合（Ｓ２８：ＹＥＳ）、制御部１１は、動作をステップＳ３５へ進ませる。なお、汚れを検出しない場合（Ｓ２５：ＮＯ）、制御部１１は、そのまま動作をステップＳ３５へ進ませる。
【００４２】
算出した中心位置から所定範囲内に中心位置がある汚れデータが既に汚れ履歴テーブル１４ａに登録されている場合（Ｓ２７：ＹＥＳ）、制御部１１は、対応する汚れデータの検出回数を１だけインクリメントし（ステップＳ３０）、インクリメントした検出回数が予め設定された警告回数ｎ１に一致する否かを判断する（ステップＳ３１）。一致する場合（Ｓ３１：ＹＥＳ）、制御部１１は、汚れフラグを１に設定して（ステップＳ３２）、動作をステップＳ３５へ進ませる。
【００４３】
一方、検出回数が警告回数ｎ１に一致しない場合（Ｓ３１：ＮＯ）、制御部１１は、その検出回数が予め設定された汚れデータ消去回数ｎ２に一致する否かを判断し（ステップＳ３３）、一致する場合（Ｓ３３：ＹＥＳ）、対応する汚れデータを汚れ履歴テーブル１４ａから消去する（ステップＳ３４）。検出回数が汚れデータ消去回数ｎ２に一致しない場合（Ｓ３３：ＮＯ）、制御部１１は、動作をＳ３５へ進ませる。
【００４４】
次いで、制御部１１は、読み取り画像の全ての画素に対する処理が終了したか否かを判断し（Ｓ３５）、終了していない場合（Ｓ３５：ＮＯ）、動作をＳ２４に戻して、他の画素における汚れ検出処理を継続する。全ての画素に対する処理が終了した場合（Ｓ３５：ＹＥＳ）、制御部１１は、ＲＡＭ１４の汚れ履歴テーブル１４ａに登録されている汚れデータにおいて、検出回数を更新されなかった汚れデータが有るか否かを判断する（ステップＳ３６）。
【００４５】
検出回数を更新されなかった汚れデータが有る場合（Ｓ３６：ＹＥＳ）、制御部１１は、対応する汚れデータを汚れ履歴テーブル１４ａから消去し（ステップＳ３７）、検出回数を更新されなかった汚れデータがない場合（Ｓ３６：ＮＯ）、制御部１１は、動作をステップＳ３８へ進ませる。そして、制御部１１は、汚れフラグが１に設定されているか否かを判断し（Ｓ３８）、１に設定されている場合（Ｓ３８：ＹＥＳ）、表示部１９にメッセージ「画面点滅箇所を清掃して下さい」を表示して、汚れがコンタクトガラス４７に付着している旨と清掃が必要である旨とをユーザに報知し（ステップＳ３９）、動作を終了させる。汚れフラグが１に設定されていない場合（Ｓ３８：ＮＯ）、制御部１１は、そのまま動作を終了させる。
【００４６】
本発明の上述した実施の形態では、同一の汚れを連続して複数回検出した場合に初めてユーザに報知を行うようにしており、必要以上の報知を行わないため、ユーザに煩わしさを感じさせない。また、同一の汚れを連続して警告回数検出した場合であっても、ユーザはこの報知メッセージを無視することができる。よって、ユーザが急いで処理を行いたい場合、またはコンタクトガラス４７での汚れが気にならない場合には、各種の処理を実行できる。
【００４７】
なお、上述した例では、筐体外部の光学部材としてコンタクトガラス４７の汚れ付着について説明したが、プラテンガラス４３の汚れ付着についても、プラテンカバー４２を閉じてその裏面を読み取ることにより、同様に行うことができる。
【００４８】
また、上述した例では、メッセージを画面表示によりユーザへ報知するようにしたが、音声出力によってメッセージをユーザへ報知するようにしても良い。
【図面の簡単な説明】
【００４９】
【図１】本発明の複合機の構成を示すブロック図である。
【図２】画像読取部の構成例を示す断面図である。
【図３】筐体内部の光学部材の汚れを検出する処理の動作手順を示すフローチャートである。
【図４】筐体外部の光学部材の汚れを検出する処理の動作手順を示すフローチャートである。
【図５】筐体外部の光学部材の汚れを検出する処理の動作手順を示すフローチャートである。
【符号の説明】
【００５０】
１  複合機
１１  制御部
１２  画像読取部
１３  ＲＯＭ
１９  表示部
２２  ＬＡＮインタフェース
３１  光源
３２  ＣＣＤ（光電変換素子）
４１  筐体
４３  プラテンガラス
４７  コンタクトガラス
５４  結像レンズ
５５，５６，５７  ミラー
５８  バックプレート
５９  シェーディングプレート（白色基準板）
【図１】
2007166525.tif 000003
【図２】
2007166525.tif 000004
【図３】
2007166525.tif 000005
【図４】
2007166525.tif 000006
【図５】
2007166525.tif 000007